(57)【要約】【課題】異物の進入を阻止する不正防止部材に付加機能をもたせ、遊技機のセキュリティーの向上を図るとともに、遊技店の業務への支障を最低限に抑えることができる遊技機を提供する。【解決手段】錠前９０の解錠操作により遮蔽板５０が原点位置にない状態で前扉３が閉じられた場合には、遮蔽板５０と突き当て部６０は干渉せず、前扉３を施錠可能な位置まで閉じることができ、遮蔽板５０が原点位置αにある状態で前扉３が閉じられた場合には、遮蔽板５０と突き当て部６０とが衝突し、前扉３を施錠可能な位置まで閉じることができないようにした。【選択図】図７
2008148760.tif 000002
【特許請求の範囲】
【請求項１】
正面に開口部を有する筐体と、この筐体に軸支部を介して水平方向に開閉自在に支持される前扉とを少なくとも備え、前記前扉は、前記開口部を塞いだ状態で施錠可能であるとともに、前記前扉に設けられた錠前を所定の鍵で解錠操作することにより施錠状態を解除できる遊技機において、
前記前扉の軸支部と反対側の側面板内側に、揺動軸を介して水平方向に揺動可能に取り付けられ、常時原点位置に戻る方向に付勢されているとともに、前記前扉の閉時において前記筐体の正面よりも筐体内部側に突出して前扉と筐体との接合部を内側から遮蔽する遮蔽板を設け、
前記筐体内部において軸支部の反対側には、前記前扉の閉扉動作に伴い原点位置にある前記遮蔽板が当接可能な突き当て部を設け、
前記錠前には、少なくとも解錠操作時に前記遮蔽板の一部と当接可能な当接部を設け、
前記遮蔽板は、前記錠前が所定の鍵を用いて解錠操作されることにより、前記当接部に押圧されて前記揺動軸を中心に回動可能であり、
前記錠前の解錠操作により前記遮蔽板が原点位置から回動した状態で前記前扉が閉じられた場合には、前記遮蔽板と前記突き当て部は干渉せず、前記前扉を施錠可能な位置まで閉じることができ、
前記遮蔽板が原点位置にある状態で前記前扉が閉じられた場合には、前記遮蔽板の少なくとも一部と前記突き当て部とが衝突し、前記前扉を施錠可能な位置まで閉じることができないように形成されていることを特徴とする遊技機。
【請求項２】
前記前扉の軸支部と反対側の側面の背面部には、閉扉時において前記筐体及び前扉の接合部を筐体側面外側から覆い隠す覆い部が設けられており、この覆い部は、前記遮蔽板が前記突き当て部に当接している前扉施錠不能状態において、筐体と前扉との間の隙間を覆うことができる奥行き寸法を有していることを特徴とする請求項１記載の遊技機。
【請求項３】
前記突き当て部は、前記覆い部の背面と前記筐体の正面との間に隙間が生じなくなるまで前扉を閉めた場合において、原点位置から突き当て部と離れる方向に回動していた遮蔽板が原点位置に復帰したとき突き当て部と接触しない距離を維持できる位置に配置されていることを特徴とする請求項２記載の遊技機。
【発明の詳細な説明】
【技術分野】
【０００１】
この発明は、前扉を開放することにより行われる不正行為を防止するための不正防止手段を有する遊技機に関するものである。
【背景技術】
【０００２】
従来より、スロットマシンなどの遊技機においては、前扉と筐体との隙間から針金などの異物を挿入して内部装置を誤作動させる、いわゆるゴトといわれる不正行為を防止するため、種々の工夫がなされている。例えば、特許文献１には、遊技機の前扉がわずかに開かれた場合には、扉に連結された連結部材が移動体を移動させることにより扉がロック状態となり、扉を全開させてロック解除しないと完全に閉めることができないようにした遊技機が開示されている。
一方、扉と筐体の隙間から物を差し込まれないようにする技術としては、特許文献２に示すような、不正防止板を用いたものがある。
【特許文献１】特開２００５−０８７３４５号公報
【特許文献２】特開２００６−１９１９４２号公報
【発明の開示】
【発明が解決しようとする課題】
【０００３】
しかし、上記した従来の不正防止装置は、不正防止装置が作動した後は、その解除を行うために前扉を開放して何らかの操作を行う必要があったため、遊技店の店員がエラーリセットやメダル補給などで前扉を開ける場合には煩わしいという問題点があった。また、従来の不正防止板は、異物の進入を阻止するという機能しか有していなかった。
そこで、本発明は、異物の進入を阻止する不正防止部材に付加機能をもたせ、遊技機のセキュリティーの向上を図るとともに、遊技店の業務への支障を最低限に抑えることができる遊技機を提供することを目的とする。
【課題を解決するための手段】
【０００４】
本願発明の特徴点を、図面に示した発明の実施の形態を用いて、以下に説明する。
なお、括弧内の符号及び図面番号は、発明の実施の形態において用いた符号及び番号を示し、本願発明の技術的範囲を限定するものではない。
（特徴点）
（請求項１）
請求項１記載の発明は、次の点を特徴とする。
すなわち、請求項１記載の発明は、正面に開口部(11)を有する筐体(1)と、この筐体(1)に軸支部（筐体ヒンジ19）を介して水平方向に開閉自在に支持される前扉(3)とを少なくとも備え、前記前扉(3)は、前記開口部(11)を塞いだ状態で施錠可能であるとともに、前記前扉(3)に設けられた錠前（シリンダー錠90）を所定の鍵で解錠操作することにより施錠状態を解除できる遊技機に係る。
【０００５】
ここで、前記前扉(3)は、例えば筐体(1)の側板(16)や、筐体(1)内部に設けた枠体（例えば交換ユニット(2)の支持体(21)）に設けられたヒンジなどの軸支部に回動自在に取り付けられる扉体である。また、前扉(3)は、筐体(1)の開口部(11)のうち開口上部(13)を閉塞可能な上扉(30)と、開口下部(14)を閉塞可能な下扉(40)とに分割されていても良い。
前記前扉(3)及び筐体(1)には、前扉(3)をロックするための施錠装置（上扉施錠装置37、下扉施錠装置70）が設けられているとともに、前記前扉(3)には少なくとも施錠状態を解除するための「錠前」が設けられている。「施錠装置」は、前記「錠前」の施錠操作によって施錠されるのであってもよいし、ラッチ錠のごとく扉を閉めることによって自動的に施錠状態になるのであってもよい。
【０００６】
前記「錠前」は、上記したように、少なくとも施錠状態の前扉(3)を解錠できればよい。例えば、鍵穴に所定の鍵を挿入して回転させることによりカム(91)が回転し、ロック状態にある係合部と被係合部（例えばフック(下扉フック80)と係止片(筐体係止片110)）のいずれかを係合解除方向に移動させて係合を解除し解錠するように形成されたものとすることができる。
なお、遊技機としては、ＣＰＵやＲＯＭ、ＲＡＭ等種々の電子部品を搭載したいわゆる基板と呼ばれる制御装置や、リールユニット(20)などの遊技装置、電源装置(4)、払い出し装置（ホッパーユニット５）などを有していてもよい。
【０００７】
そして、本発明においては、前記前扉(3)の軸支部(19)と反対側の側面板(40A)内側に、揺動軸(51)を介して水平方向に揺動可能に取り付けられ、常時原点位置に戻る方向に付勢されているともに、前記前扉(3)の閉時において前記筐体(1)の正面よりも筐体内部側に突出して前扉(3)と筐体(1)との接合部を内側から遮蔽する遮蔽板(50)が設けている。また、前記筐体内部において軸支部(19)の反対側には、前記前扉(3)の閉扉動作に伴い原点位置にある前記遮蔽板(50)が当接可能な突き当て部(突き当て部材60)を設けてある。さらに、前記錠前(90)には、少なくとも解錠時に前記遮蔽板(50)の一部と当接可能な当接部（揺動突起93）を設けてある。
【０００８】
ここで、前記遮蔽板(50)は、前扉(3)が例えば上下に分割されている場合には、上扉(30)のみ、あるいは下扉(40)のみに設けられていてもよい。もちろん、上扉(30)及び下扉(40)の双方に設けられていてもよい。また、遮蔽板(50)の「原点位置」とは、常態（当接部(93)が当接していない状態）における遮蔽板(50)の位置（水平方向の回動位置）である。そして遮蔽板(50)は、例えばバネ(52)によって、常時原点位置に戻る方向に付勢されている。なお、遮蔽板(50)を原点位置に停止させるためのストッパー(T)を設けてもよい。
前記突き当て部(60)は、筐体(1)の反軸支部側に設けられる閉扉規制手段であって、遮蔽板(50)と衝突することにより、前扉(3)がそれ以上閉まらなくなるようにするためのものである。突き当て部(60)は、筐体(1)を構成する部材又は筐体(1)に内装される装置などの一部であってもよいし、閉扉時に原点位置にある遮蔽板(50)が衝突する位置に設けられた部材であってもよい。例えば、筐体(1)の側板(16)や底板(15)に設けられたアングル材とすることができる。
【０００９】
前記「当接部」は、例えば解錠操作に伴い回転するカム(91)に設けられた突起とすることができる。そしてこの当接部(93)は、少なくとも解錠操作を行うときに遮蔽板(50)と接触して遮蔽板(50)を押圧するように形成されていればよく、施錠時において当接部(93)が遮蔽板(50)と接触していてもよい。
そして、前記遮蔽板(50)は、前記錠前(90)が所定の鍵を用いて解錠操作されることにより、前記当接部(93)に押圧されて前記揺動軸(51)を中心に回動可能であり、前記錠前(90)の解錠操作により前記遮蔽板(50)が原点位置から回動した状態で前記前扉(3)が閉じられた場合には、前記遮蔽板(50)と前記突き当て部(60)とが干渉せず、前記前扉(3)を施錠可能な位置まで閉じることができ、前記遮蔽板(50)が原点位置にある状態で前記前扉(3)が閉じられた場合には、前記遮蔽板(50)の少なくとも一部と前記突き当て部(60)とが衝突し、前記前扉(3)を施錠可能な位置まで閉じることができないように形成されていることを特徴とする。
【００１０】
（作用）
本発明において、開放されている前扉(3)を閉める場合には、錠前(90)に対して解錠操作を行いながら、具体的には、例えば鍵穴(44)に所定の鍵を挿入して解錠方向に回転させた状態で、前扉(3)を閉方向に回動させる。解錠操作に伴い、遮蔽板(50)は当接部(93)に押圧されて揺動軸(51)を中心に回動し、原点位置より扉外側あるいは扉中心側の位置になっているため、遮蔽板(50)と突き当て部(60)とが干渉することなく、前扉(3)を施錠可能な位置まで閉じることができる。
一方、錠前(90)に対して解錠操作を行わないまま前扉(3)を閉めた場合には、遮蔽板(50)は原点位置にあるため、前扉(3)を閉方向に回動させていくと、前扉(3)が完全に閉じる前に、遮蔽板(50)が突き当て部(60)に衝突する。例えば、遮蔽板(50)の背面(50B)又は背面の一部（突出部55）が、立設板状の突き当て部(60)の正面(60A)に衝突する。このため、前扉(3)をそれ以上閉じる方向に回動させることができず、結果として施錠することができない。従って、例えば正規の鍵を用いないで前扉(3)を開けた場合には、扉を開くことはできても閉じることができず、遊技機のエラーや扉の不自然な様子から、不正な開扉が発覚してしまう。
【００１１】
なお、前扉(3)をわずかに開けた状態で、筐体(1)との隙間から針金などの異物を進入させようとしても、遮蔽板(50)に邪魔されて、内部装置まで到達させることができない。遮蔽板(50)について、扉中心側（筐体内部側）への回動を規制するストッパー(T)を設けておくと好適である。
（請求項２）
請求項２記載の発明は、上記した請求項１記載の発明の特徴点に加え、次の点を特徴とする。
すなわち、請求項２記載の発明は、前記前扉(3)の軸支部(19)と反対側の側面（側面板40A）の背面部には、閉扉時において前記筐体(1)及び前扉(3)の接合部を筐体側面外側から覆い隠す覆い部(40B)が設けられており、この覆い部(40B)は、前記遮蔽板(50)が前記突き当て部(60)に当接している前扉施錠不能状態において、筐体(1)と前扉(3)との間の隙間を覆うことができる奥行き寸法を有していることを特徴とする。
【００１２】
本発明は、不正防止板としての遮蔽板(50)に加え、さらに前扉(3)の筐体(1)との継ぎ目となる部分にこの継ぎ目を隠す覆いを設け、前扉(3)がわずかに開いた状態で外部から異物を進入させることを防止するとともに、遮蔽板(50)を外部から押圧して扉を閉じることを不能にするようにしたものである。
本発明においては、遮蔽板(50)が突き当て部(60)に当接している状態で、覆い部(40B)が筐体(1)の側面を覆っているので、前扉(3)と筐体(1)との隙間から異物を進入させ、遮蔽板(50)を突いて回動させることは不可能となる。
（請求項３）
請求項３記載の発明は、上記した請求項２記載の発明の特徴点に加え、次の点を特徴とする。
【００１３】
すなわち、請求項３記載の発明は、前記突き当て部(60)は、前記覆い部(50)の背面(Q)と前記筐体(1)の正面(R)との間に隙間が生じなくなるまで前扉(3)を閉めた場合において、原点位置から突き当て部(60)と離れる方向に回動していた遮蔽板(50)が原点位置に復帰したとき突き当て部(60)と接触しない距離を維持できる位置に配置されていることを特徴とする。
ここで、「突き当て部(60)と接触しない距離を維持」とは、具体的には、遮蔽板(50)の背面(50A)が突き当て部(60)の正面(60A)に届かないこと、原点位置に復帰した遮蔽板(50)の側面(外面50B)が突き当て部(60)の側面(60B)に当接しないこと、を含むものである。
【００１４】
本発明では、仮に遮蔽板(50)が異物により突かれて原点位置になかった場合でも、覆い部(40B)の背面(Ｑ)と前記筐体(1)の正面(Ｒ)との間に異物を進入可能な隙間がなくなるまで（すなわち異物を抜き取らないと扉が閉まらない位置まで）前扉(3)を閉めた時点で、付勢力により原点位置に復帰する遮蔽板(50)と突き当て部(50)とは接触不能な位置関係にある。
従って、扉を閉める寸前まで異物を差し込んでいたとしても、閉扉するため異物を抜き取れば、遮蔽板(50)は突き当て部(50)と接触せずに原点位置に戻り、そのまま閉扉作動を行えば、突き当て部(50)に衝突することとなる（図１３参照）。
【発明の効果】
【００１５】
本発明のうち、請求項１記載の発明によれば、異物の進入を阻止する不正防止部材に付加機能をもたせ、遊技機のセキュリティーの向上を図るとともに、遊技店の業務への支障を最低限に抑えることが可能な遊技機を提供することができる。さらに、請求項２又は３記載の発明によれば、不正防止効果をより向上させることができる。
【発明を実施するための最良の形態】
【００１６】
本発明の好適な実施の形態を、遊技機としてスロットマシンを例に、図面に基づき説明する。
（図面の説明）
図１乃至図１６は、本発明の実施の形態を示すものである。
図１はスロットマシンＳの分解斜視図、図２は前扉を外したスロットマシンＳの斜視図、図３及び図４は下扉施錠装置70の斜視図、図５乃至図８は遮蔽板50の作動説明図、図９及び図１０は施錠装置の部分縦断面図、図１１及び図１２は遮蔽板50の部分斜視図、図１３は覆い部40Bの作用説明図である。なお、図１４乃至図１６は、本発明の他の実施の形態を示す図である。
【００１７】
（スロットマシンＳ）
本実施の形態におけるスロットマシンＳは、図１に示すように、大きく分けて、正面側に開口部11を有する筐体１、筐体１内部に設けられる交換ユニット２、筐体１の開口部11を開閉可能に塞ぐ前扉３とから構成されており、さらにこの前扉３は、筐体１の開口上部13を開閉可能に塞ぐ上扉30、筐体ユニット１の開口下部14を開閉可能に塞ぐ上扉30とから構成されている。
（筐体１）
筐体１は、底板15及び側板16,16'及び天板及び裏板からなる正面側に開口する箱であり、高さ方向略中央部には、二つの側板16,16'の間に水平方向に中板12が設けられている。この中板12の下面には、電源ユニット４が固定されているとともに、底板15にはホッパーユニット５が載置されている。
【００１８】
そして、正面左側の側板16'には、下扉40を係合させ、回転自在に支持するための筐体ヒンジ19が、上下方向に間隔をおいて二つ設けられて設けられている。また、筐体ヒンジ19の対向側の側板16には、下扉40を閉めた際、下扉40をロックするための筐体係止片100が、上下方向に間隔をおいて二つ設けられているとともに、下扉40の開閉を支持するための筐体ガイドレール110が設けられている。
さらに、開口下部14における側板16の内側には、後述する遮蔽板50と当接可能な突き当て部材60が設けられている。突き当て部材60は、図１及び図７に示すように、少なくとも正面側に遮蔽板50の先端部が当接する立面を有する例えば側面視Ｌ字型の部材であり、側板16に固定されていてもよいし、底板15固定されているのでもよい。
【００１９】
（交換ユニット２）
交換ユニット２は、種々の部品を設置あるいは固定するための支持体21と、この支持体21に固定されたリールユニット20及び基板ユニット24とから形成されている。
支持体21は、方形状の金属枠からなり、リールユニット20及び基板ユニット24を支持するとともに、これらを一体的に取り扱い可能とするためのものである。支持体21としては、他の構成部品を支持固定可能であってもよい。枠体21の正面左側の縦枠には、上扉30を回転自在に係合するための支持体ヒンジ25が、上下方向に間隔をおいて二つ設けられている。また、この支持体ヒンジ25の対向側の縦枠には、上扉30を閉めた際、上扉30をロックするための支持体係止片101が、上下方向に間隔をおいて二つ設けられているとともに、上扉30の開閉を支持するための支持体ガイドレール111が設けられている。
【００２０】
ここで、リールユニット20は、周囲に複数の図柄を表示した複数の回転リール23と、特に図示しないが、回転リール23を回転させるための駆動モータを有している。また、基板ユニット24は、ＣＰＵを中心に構成され、ＲＯＭ、ＲＡＭ、Ｉ／Ｏ等を備えたメイン基板を基板ケースに収納したものであり、遊技及びスロットマシンの作動を制御するための制御装置として機能する。なお、基板ユニット24には、各種演出を行うためのサブ基板が含まれていてもよく、メイン基板ユニットとサブ基板ユニットを別々に設けてもよい。
交換ユニット２は、筐体１の中板12の上に載置した状態で開口上部13内部に収納され、キャッチクリップなどの固定装置10により筐体１に固定される。
【００２１】
（上扉30）
上扉30は、交換ユニット２の支持体21に回転自在かつロック可能に形成されている板状の扉であり、図１に示すように、略中央部に回転リール23の図柄を正面側から見ることができる図柄表示窓31を有し、図柄表示窓31の周囲には、飾り部33が形成されている。飾り部33は、ランプなどの電飾としてもよい。そして、図柄表示窓31の下方には、７セグメント表示器や液晶表示装置を用いて、遊技に関する数字その他を表示するための表示部32が設けられている。
さらに、図２に示すように、上扉30の裏面上部には、音声を出力するためのスピーカ35が設けられているとともに、一方の側面内部には、前記支持体ヒンジ25に係合可能な上扉係合部36が上下方向に間隔をおいて二つ設けられている。さらに、上扉係合部36の対向側の側面内部には、上扉施錠装置37が設けられている。なお、上扉施錠装置37の詳細については後述する。
【００２２】
さらに、上扉30の下端部には、図１に示すように、下縁部に沿って垂下片34が形成されている。この垂下片34は、特に図示しないが、前扉３を閉じたときに、正面側から上扉30の下端と下扉40の上端との間に隙間を生じさせないためのものである。すなわち、下扉40を閉じたとき、垂下片34を前方から下扉40の裏面が押さえ、垂下片34と下扉40の裏面が重なるようにして、隙間から針金等の異物を挿入できないようにしているのである。
そして、上扉30は、交換ユニット２を収納固定した状態でロックすることにより、筐体１の開口上部13を密閉する。
（下扉40）
下扉40は、筐体１の開口下部14を塞ぐための、上扉30よりも幅厚の扉であり、筐体１の側板16'に回転自在かつロック可能に形成されているものである。下扉40の上部は、スロットマシンを作動させるための操作部41となっており、下扉40の上面は、閉扉時においては、上扉30よりも前側に突出するようになっている。
【００２３】
ここで、前記操作部41としては、図１に示すように、遊技メダルを投入するためのメダル投入口42、貯留メダル数を減じてメダル投入に代えるためのベットスイッチ41A、貯留した投入メダルを払い出すための精算スイッチ41B、回転リール20の回転を開始させるためのスタートスイッチ41C、回転リール20の回転を停止させるためのストップスイッチ41Dが設けられている。また、下扉40の下部には払い出されたメダルを溜めておくためのメダル受け皿43が形成されている。
下扉40の上部右端には、鍵穴44が設けられており、この鍵穴44に所定の鍵を差し込んで回すと、下扉40のロックが解除されるようになっている。
【００２４】
さらに、図２に示すように、下扉40の裏面側には、前記メダル投入口42から投入されたメダルを誘導しながらメダルの正偽を判断するためのメダルセレクター45が設けられている。また、下扉40の一方の側面内部には、筐体ヒンジ19と係合可能な下扉係合部46が上下方向に間隔をおいて二つ設けられている。
そして、下扉係合部46の対向側の側面板40Aの内部には、下扉施錠装置70が設けられているとともに、側面板40Aの内側には、下扉40と筐体１との隙間からの異物の進入を防ぐとともに、所定の鍵を使用しないと下扉40の施錠ができないようにするための遮蔽板50が取り付けられている。また、側面板40Aの奥側（閉扉時に筐体１と接合する側）の端部には、下扉40と筐体１との間に生じる隙間を外側から覆い隠すための覆い部40B（図５参照）が形成されている。
【００２５】
（下扉施錠装置70）
下扉施錠装置70は、開放状態の下扉40を筐体１の開口下部14を塞ぐ位置まで回動させることにより自動的に施錠され、鍵穴44に所定の鍵を差し込んで回すことにより解錠できるようになっている。そして、図３及び図４に示すように、下扉40の側面板40Aの内側に設けられた固定部材75と、この固定部材75に固定ピン76を介して回動可能に軸止され下扉40の背面側に突出する鉤状の下扉フック80と、固定部材75に上下方向に移動可能に取り付けられた可動板71とを有しており、下扉フック80が筐体係止片100（図２及び図９参照）と係合することにより下扉40が施錠されるようになっている。また、下扉施錠装置70には、鍵の回転により可動板71を下方に移動させ下扉フック80と筐体係止片100との係合を解除させるためのシリンダー錠90が設けられている。
【００２６】
固定部材75は、図３及び図４に示すように、可動板71、下扉フック80、シリンダー錠90を下扉40に支持固定するための、断面略Ｔ字型の金属板である。固定部材75は、図４に示すように、下扉40の裏面側に設けられた取り付け板40Cに固定されるものであり、固定部材75の上端部には、シリンダー錠90が固定され、上下の端部側には下扉フック80を回動可能に軸止するとともに可動板71を支持しその上下動をガイド可能な固定ピン76が設けてある。また、固定部材75の長さ方向の中ほどには下扉ガイドローラ77が取り付けられている。この下扉ガイドローラ77は、下扉40を閉じたときに、筐体１に設けられた筐体ガイドレール110（図１参照）の上面に乗る位置に設けられており、下扉40の開閉作動をスムーズに行わせるとともに、下扉40の反ヒンジ側を支持するためのものである（図９における上扉ガイドローラ37A及び支持体ガイドレール111参照）。
【００２７】
シリンダー錠90は、外筒の内部に鍵穴44から挿入される鍵によって回転する内筒（図示せず）を有する錠前であり、内筒の鍵穴44と反対側の端部には、押し下げ突起92及び揺動突起93を有する板状のカム91が取り付けられている。ここで、押し下げ突起92は、カム91の上方に設けられ下扉40の外側方向（側面板40A側）に突出する突起であり、揺動突起93は、カム91の上方に設けられた、カム91の回転軸を挟んで押し下げ突起92と反対側に突出する突起である。そして、鍵穴44に挿入した鍵を回転させることによりカム91が回転し、押し下げ突起92が可動板71を押し下げるとともに、揺動突起93が後述する遮蔽板50を水平方向に回動させるようになっている。
【００２８】
下扉フック80は、図３及び図９に示すように、係止凹部82及び傾斜部83を有し、固定部材75の固定ピン76に軸止されている。また下扉フック80は、傾斜部83の反対側の端部に設けられたバネ掛け部81と、固定ピン76の下方に形成されたバネ固定部75Bとの間に介在させたバネ85により、傾斜部83が上側に回動する方向に付勢されている。そして、下扉フック80は、下扉40を閉じることにより、傾斜部83が筐体係止片100に当接して下側に回動し（図１０（Ａ）参照）、さらに下扉40を閉じると、傾斜部83が筐体係止片100の下側をくぐり抜け、バネ85の復元力で元の位置に復帰して自動的に係止凹部82が筐体係止片100に係止されるようになっている。
【００２９】
可動板71は、図３に示すように、固定ピン76が貫通する長孔71Cが形成されており、長さ方向の略中央部に設けられたバネ掛け部71Aと、固定部材75の長さ方向の略中央部に形成されたバネ固定部75Aとの間に介在させたバネ74により、常時上方に付勢されている。すなわち可動板71は、図４に示すように、常態において、固定ピン76が長孔71Cの下端に位置するところで停止している。また、可動板71には、常態停止位置において前記シリンダー錠90のカム91の押し下げ突起92と係合する開口部71Bが形成されているとともに、下扉フック80の上端部に当接する押圧片73が二個設けられている。そして、シリンダー錠90のカム91が回転することにより、開口部71Bに係合する押し下げ突起92が可動板71を押し下げ、それに伴い可動板71の押圧片73が下扉フック80を押圧するようになっている。なお、押圧片73に押圧された下扉フック80は傾斜部83側が下側に回動し、係止凹部82と筐体係止片100との係合が外れ、下扉40が解錠状態になる（図１０（Ｂ）参照）。
【００３０】
上記構成により、下扉40は単独で解錠可能かつ開閉自在になっている。なお、シリンダー錠90の揺動突起93の作用については後述する。
（上扉施錠装置37）
ここで、上扉施錠装置37について説明する。上扉施錠装置37の構造は、下扉施錠装置70と基本的には同様である。すなわち、上扉施錠装置37は、特に図示しないが上扉30の側面板の内側に設けられた固定部材と、この固定部材に固定ピンを介して回動可能に軸止され上扉30の背面側に突出する鉤状の上扉フック37A（図２及び図９参照）と、固定部材に上下方向に移動可能に取り付けられた可動板とを有している。また、固定部材の下端部には、図９に示すように、上扉ガイドローラ37Bが設けられており、固定部材に可動部材が上下方向に移動可能に取り付けられている構成も、下扉施錠装置70と同様である。そして、上扉フック37Aが、筐体１に収納固定された交換ユニット２の支持体係止片101と係合することにより上扉30が施錠されるようになっている。
【００３１】
ただ、上扉施錠装置37は、ロックを解除する場合には、可動板の下端部に設けられた解除棒37Cを手動で引き下げることにより、可動板が下方に移動し、上扉フック37Aと支持体係止片101との係合が解除されるものである。また前記解除棒37Cは、下扉40を開放しないと操作できない。つまり上扉30は、下扉40の解錠開放が解錠の条件となっており、下扉40が開放されていれば上扉30を単独で開閉することはできるが、下扉40が閉じている場合には単独で開くことはできないようになっている。
（遮蔽板50）
遮蔽板50は、図４に示すように、下扉40の裏面に設けられた取り付け板40Cの、カム91よりも下扉40の中心側（以下扉中心側という）に、揺動軸51を介して水平方向に揺動可能に取り付けられる薄板部材である。
【００３２】
すなわち、遮蔽板50の軸支部側上端部には、図１１に示すような揺動突起当接部53が形成されており、揺動軸51に設けられたバネ52により、常時下扉40の側面板40A側（以下外側という）方向に付勢されている。そして、図５及び図７に示すように、カム91の揺動突起93が、常時、揺動突起当接部53において遮蔽板50と当接するようになっている。
ここで、前記揺動突起当接部53は、図５及び図１１に示すように、遮蔽板50の外面50B（側面板40A側の面）に設けられた凹部であり、図６（Ｂ）及び図１１に示すように、凹部の底面に傾斜部53aが形成された断面三角形状に形成されている。そして、カム91が図８に示す施錠位置（押し下げ突起92が下扉施錠装置70の可動板71を押し下げていない位置。鍵穴44に挿入した鍵を回転させない状態の位置）にある場合には、揺動突起93が揺動突起当接部53の下端部53b（傾斜部53aの下端部から遮蔽板50の外面に至る面の先端部）に当接し、カム91が図６に示す解錠位置（押し下げ突起92が下扉施錠装置70の可動板71を押し下げている位置。鍵穴44に挿入した鍵を回転させた状態の位置）にある場合には、揺動突起93が揺動突起当接部53の上端部53c（傾斜部53aの上端部）に当接するようになっている。
【００３３】
上記のように形成された遮蔽板50は、解錠操作に伴うカム91の回転によって、水平方向に揺動する。具体的には、遮蔽板50は、常態（解錠操作していないとき）においては、平面視すると、図７に示すように外側に傾いた状態となっている。なお、これが遮蔽板50の原点位置αである。そして、解錠操作によってカム91が解錠方向（押し下げ突起92が可動板71を押し下げる方向）に回転することにより、揺動突起93の先端部が傾斜部53aに沿って下側から上側に移動し、遮蔽板50を扉中心側（図６（Ａ）の白矢印側）に押しやる。これによって、遮蔽板50が揺動軸51を中心に扉中心側に回動し、図５に実線で示すように、平面視ほぼ垂直状態になるものである。
【００３４】
また、取り付け板40Cの揺動軸51の近傍には、図４及び図６に示すように、遮蔽板50が平面視ほぼ垂直状態となった位置よりも扉中心側に回動しないように阻止するストッパーＴが設けられている。すなわち、遮蔽板50は、図１３に示すように下扉40がわずかに開いている場合に、下扉40と筐体１との隙間を内側から遮蔽し、針金などの異物を挿入し内部装置に悪戯するゴト行為を防止する不正防止板としての機能をも有している。
そして、筐体１の側板16の内側には、突き当て部材60が設けられているため、開放した下扉40を施錠状態のまま（すなわち鍵穴44に鍵を挿入しないまま、あるいは挿入した鍵を解錠方向に回転させないまま）にして下扉40を閉めようとすると、図７に示すように、遮蔽板50の背面50Aが突き当て部材60の正面60Aに突き当たって、下扉40をロックすることができない。このように形成されていることによって、例えば下扉40が所定の鍵を用いず不正に解錠された場合には、扉を開くことはできても閉じることができず、結果、ドア開きのエラー等により、遊技を行うことができなくなる。このように、遮蔽板50は、前記した不正防止板としての機能の他に、鍵を用いないと下扉40が閉まらないようにする閉扉規制手段としての機能をも有しているものである。
【００３５】
なお、上記した例では、バネ52を揺動軸51に設けてあるが、図１２に示すように、遮蔽板50の外面に設けたバネ掛け部54と、固定部材75に設けたバネ固定部75Cとの間にバネ52を介在させるようにしてもよい。また、遮蔽板50を常時外側方向に付勢できるのであれば、バネ52の形態及び取り付け位置は、図示したものに限られない。
（下扉40の開閉）
次に、下扉40の開閉を、遮蔽板50の作用と関連させて説明する。
まず、下扉40が閉じておりかつ施錠されている状態においては、遮蔽板50は外側方向に付勢されているので、図５に二点鎖線で示すように外側に傾いており、外面50Bの奥側が突き当て部材60の側面60Bに当接している。なお、この位置は、遮蔽板50の原点位置α（図７参照）よりもやや内側に傾いた位置である。またこのとき、カム91は図８に示す施錠位置にあり、下扉フック80は図９に示すように筐体係止片100と係合している。そして、下扉40の施錠状態においては、図５に示すように、下扉40の側面板40Aに設けられている覆い部40Bが、下扉40と筐体１の側板16との接合部を外側から覆っており、下扉40と筐体１との隙間から針金などを侵入させることができないようになっている。
【００３６】
下扉40を開ける場合には、鍵穴44に所定の鍵を挿入して解錠方向に回転させると、図６に示すようにカム91が回転して押し下げ突起92が可動板71を押し下げ、下扉フック80は図１０（Ｂ）に示すように下側に回動し、筐体係止片100との係合が解除される（ロック解除される）。なおこのとき、遮蔽板50は揺動突起93によって扉中心側に押され、図５に実線で示すように、平面視ほぼ垂直状態となる。この状態で下扉40を開く方向に回動させれば、下扉40を開くことができる。
開放された下扉40を閉じる場合には、鍵穴44に挿入してある鍵を解錠方向に回転させたまま、すなわち遮蔽板50を垂直状態にしたまま下扉40を閉じる方向に回動させる。遮蔽板50の先端部は突き当て部材60の側面60Bよりも筐体内側に位置しているので、遮蔽板50と突き当て部材60とが干渉しないで下扉40を閉じることができる。
【００３７】
なお、下扉40を閉じた後、鍵を施錠位置に戻して抜き取ると、遮蔽板50はバネ52の付勢力によって再び外側に回動する。遮蔽板50の奥行き寸法は、閉扉時においてその背面50Aが突き当て部材60の正面50Aよりも奥側に位置する長さに形成してあるので、その外面50Bが突き当て部材60の側面60Bに当接して回動停止する（図５の二点鎖線参照）。
一方、鍵を解錠方向に回転させないで下扉40を閉めると、遮蔽板50が外側に傾いている原点位置αにあるので、図７に示すように遮蔽板50の背面50Aが突き当て部材60の正面60Aに衝突してしまう。このため、遮蔽板50と突き当て部材60の衝突に阻まれて、下扉40を完全な閉位置まで移動させることができず、下扉40と筐体１との間に隙間Ｐが生じたままとなる。またこのとき、下扉フック80は、傾斜部83と筐体係止片100の当接によって下側に押し下げられ、図１０（Ａ）に示すように下側に回動してはいるものの、下扉40が、遮蔽板50と突き当て部材60の衝突によって係止凹部82が筐体係止片100と係合するところまでは移動できないので、下扉40をロック状態にすることができない。
【００３８】
ただし、下扉40の覆い部40Bは、前記隙間Ｐを外側から覆うことができるだけの奥行き寸法を有しているので、上記した図７の状態において、隙間Ｐから針金などを挿入することはできない。従って、外部から遮蔽板50を針金などで突いて扉中心側に回動させ下扉40を閉じるということはできない。
さらに、遮蔽板50を針金などで突いて扉中心側に回動させたまま下扉40を閉じたとしても、図１３に示すように、針金などの挿入物Ｘが覆い部40Bと筐体１の側板16の正面側との間に挟まれてこれ以上扉を閉められない状態となったとき、遮蔽板50の背面50Aは突き当て部材60の位置まで達しないようになっている。すなわち、図１３の状態において下扉40を閉じるためには挿入物Ｘを抜き出さなければならず、そうすると遮蔽板50はバネ52の付勢力によって二点鎖線で示す原点位置αに戻ってしまう。そして、そのまま下扉40を閉じると、図７に示すように遮蔽板50が突き当て部材60に衝突するものである。
【００３９】
以上のことより、突き当て部材60の奥行き方向の設置位置は、下扉40を閉じる際、覆い部40Bの背面（図１３のＱ）が少なくとも側板16の正面（図１３のＲ）と並列するまで（すなわち隙間に物を差し込み不能となるまで）、突き当て部材60の側面60Bが垂直状態の遮蔽板50の外面50Bと接触しない距離を維持できる位置とするのが最も好ましい。
また、遮蔽板50は、平面視ほぼ垂直となる位置（図５及び図１３参照）よりも筐体内部側には回動しないようになっているので、図１３に示すように筐体１と覆い部40Bの隙間から異物が挿入された場合でも、かかる異物の内部装置への接触を防止することができる。
【００４０】
このように、本実施の形態は、隙間からの異物進入を防ぐ不正防止板としての遮蔽板50に、閉扉規制手段としての付加機能をもたせたものである。下扉40は、遮蔽板50があることにより、所定の鍵を用いてシリンダー錠90を解錠状態にしておかないと完全に閉じることができず、ロックもされないように形成してあるので、鍵を用いないで不正な手段で下扉40が解錠されたとしても、その後下扉40を閉めることができない。加えて、下扉40の覆い部40Bによって、遮蔽板50と突き当て部材60との衝突により生じる筐体１と下扉40との隙間Ｐを塞ぐようにしてあるので、遮蔽板50を直接操作して下扉40を閉めることも不可能である。
【００４１】
そして、スロットマシンＳは、扉が半開き状態では遊技を行うことができないので、不正に扉を開けて内部装置を改変等したとしても、結局遊技を行うことができない。従って、このような不正行為を躊躇させることができる。また、下扉40がロックされないままになっている場合には、見た目にも不自然であるため、店員が巡回することで不正に扉開放された台をすぐに発見できる。さらに、下扉40に開閉検知装置を設け、扉が開いている場合にはスロットマシンＳに所定の警告表示がされたり、ホールコンピュータに通報されたりするように形成すれば、不正な扉の開放がされた場合の事後処理を早急に行えるので、より好適である。
【００４２】
一方、鍵を用いれば、通常の閉扉操作とほとんど変わりない作業で扉を閉じることができる。従って、鍵の管理を徹底しさえすれば、遊技店の店員が正規に扉を開けた場合には余計な操作をする必要がないので、業務への支障を最低限に抑えられる。
（遮蔽板50及び揺動突起93及び突き当て部材60の他の形態）
上記した実施の形態では、遮蔽板50の原点位置αを、平面視垂直状態よりも外側に傾いた位置としてあったが、逆に、平面視垂直状態を原点位置とし、解錠操作によって内側に回動するようにしてもよい。
具体的には、図１４に示すように、遮蔽板50は、バネ52によって常時カム91の方向（外側）に付勢されているとともに、ストッパーＴ’によって、平面視垂直状態より外側には回動しないようになっている。そして、解錠操作に伴うカム91の回転により、揺動突起93に押されて、扉中心側に回動する（図１５の二点鎖線参照）。また、解錠操作をやめると、バネ52により原点位置αに戻る。
【００４３】
一方、突き当て部材60は、図１５に示すように、原点位置αにある遮蔽板50が閉扉作動によって正面から衝突する位置に設けられている。この場合、突き当て部材60は、例えば中板12の下面に設けるとよい。そして、解錠操作を行わずに下扉40を閉めると、図１５に実線で示すように、遮蔽板50の背面50Aが突き当て部材60の正面60Aに衝突して、下扉40は筐体１との間に隙間Ｐを開けた状態でそれ以上閉めることができなくなり、施錠不能となる。これに対し、解錠操作を行った状態、すなわち遮蔽板50を図１５の二点鎖線に示す位置に回動させた状態で下扉40を閉じた場合には、遮蔽板50の背面50A及び側面50Bは突き当て部材60の側面60Bよりも筐体内部側に位置しているので、突き当て部材60に衝突することなく、下扉40を施錠可能位置まで閉じることができる。
【００４４】
なお、図１４及び図１５の例では、遮蔽板50に揺動突起当接部53を特に設けていないが、揺動突起93との接触部分が摩耗しないように補強部材を設けたり、揺動突起93により遮蔽板50がスムーズに回動可能となるような形状に形成したりしてもよい。
以上述べた実施の形態においては、遮蔽板50を下扉40にのみ設けてあったが、上扉30と下扉40を別個に施錠解錠可能に形成してある場合には、上扉30にも遮蔽板50と同様の遮蔽板を設けてもよい。前扉３が一枚扉の場合も同様である。
さらに、上記実施の形態では、遮蔽板50が筐体１内部に設けられた突き当て部材60に衝突することにより、下扉40（前扉３）の閉作動を規制するようになっていたが、遮蔽板50と当接する「突き当て部」としては突き当て部材60に限られず、例えばホッパーユニット５の一部や中板12に設けられた垂下部などが、解錠操作されていない遮蔽板50と衝突するようにしてもよい。
【００４５】
加えて、遮蔽板50の背面50Aに、図１６に示すような突出部55を設け、この突出部が突き当て部材60に当接することにより下扉40の閉作動が規制されるようにしてもよい。このように形成した場合には、下扉40を閉める際に、遮蔽板50の下方部分が開口下部14の下側隅部に設置されているオーバーフロータンクなどに干渉することがない。
本発明は、スロットマシン以外の遊技機にも利用することができるのは言うまでもない。
【図面の簡単な説明】
【００４６】
【図１】本発明の実施の形態であって、スロットマシンの分解斜視図である。
【図２】本発明の実施の形態であって、前扉を外したスロットマシンの斜視図である。
【図３】本発明の実施の形態であって、下扉施錠装置の分解斜視図である。
【図４】本発明の実施の形態であって、下扉施錠装置の斜視図である。
【図５】本発明の実施の形態であって、筐体及び下扉の部分横断面図である。
【図６】本発明の実施の形態であって、シリンダー錠及び遮蔽板の平面図及び背面図である。
【図７】本発明の実施の形態であって、筐体及び下扉の部分横断面図である。
【図８】本発明の実施の形態であって、シリンダー錠及び遮蔽板の平面図及び背面図である。
【図９】本発明の実施の形態であって、上扉施錠装置及び下扉施錠装置の部分縦断面図である。
【図１０】本発明の実施の形態であって、下扉施錠装置の部分縦断面図である。
【図１１】本発明の実施の形態であって、遮蔽板の部分斜視図である。
【図１２】本発明の実施の形態であって、遮蔽板の他の例を示す部分斜視図である。
【図１３】本発明の実施の形態であって、筐体及び下扉の部分横断面図である。
【図１４】本発明の他の実施の形態であって、シリンダー錠及び遮蔽板の平面図及び背面図である。
【図１５】本発明の他の実施の形態であって、筐体及び下扉の部分横断面図である。
【図１６】本発明の他の実施の形態であって、遮蔽板の他の例を示す斜視図である。
【符号の説明】
【００４７】
Ｓ  スロットマシン（遊技機）        １  筐体
２  交換ユニット                    ３  前扉
４  電源ユニット                    ５  ホッパーユニット
10  固定装置                        11  開口部
12  中板                            13  開口上部
14  開口下部                        15  底板
16,16'  側板                        19  筐体ヒンジ（軸支部）
20  リールユニット                  21  支持体
23  回転リール                      24  基板ユニット（制御装置）
25  支持体ヒンジ
30  上扉                            31  図柄表示窓
32  表示部                          33  飾り部
34  垂下片                          35  スピーカ
36  上扉係合部                      37  上扉施錠装置
37A  上扉フック                     37B  上扉ガイドローラ
37C  解錠つまみ
40  下扉                            41  操作部
42  メダル投入口                    43  メダル受け皿
44  鍵穴                            45  メダルセレクター
46  下扉係合部                     40B  覆い部
50  遮蔽板                          51  揺動軸
52  バネ                            53  揺動突起当接部
53a  傾斜部                         53b  下端部
53c  上端部                          54  バネ掛け部
55  突出部
60  突き当て部材（突き当て部）
70  下扉施錠装置                    71  可動板
71A  バネ掛け部                     71B  開口部
71C  長孔
73  押圧片                          74  バネ
75  固定部材                       75A  バネ固定部
75B  バネ固定部                     75C  バネ固定部
76  固定ピン                        77  下扉ガイドローラ
80  下扉フック                      81  バネ掛け部
82  係止凹部                        83  傾斜部
85  バネ
90  シリンダー錠（錠前）            91  カム
92  押し下げ突起                    93  揺動突起（当接部）
100  筐体係止片                     101  支持体係止片
110  筐体ガイドレール               111  支持体ガイドレール
Ｔ，Ｔ’  ストッパー                α  原点位置
【図１】
2008148760.tif 000003
【図２】
2008148760.tif 000004
【図３】
2008148760.tif 000005
【図４】
2008148760.tif 000006
【図５】
2008148760.tif 000007
【図６】
2008148760.tif 000008
【図７】
2008148760.tif 000009
【図８】
2008148760.tif 000010
【図９】
2008148760.tif 000011
【図１０】
2008148760.tif 000012
【図１１】
2008148760.tif 000013
【図１２】
2008148760.tif 000014
【図１３】
2008148760.tif 000015
【図１４】
2008148760.tif 000016
【図１５】
2008148760.tif 000017
【図１６】
2008148760.tif 000018